(57)【要約】【課題】例えば、クーポン券が付いたガイドブックを作成する場合、クーポン券がそのクーポン券が使用できる店舗などの情報とともに記載されていると、利用者は多数のガイド情報の中からクーポン券を探し出さねばならず、そのようなガイドブックは利用者にとって不便である。このような不便を解消して、利用者にとって利便性の高い文書を作成できる文書作成装置を提供する。【解決手段】文書コンテンツの選択を受け付ける選択受付部３２と、前記選択された文書コンテンツに含まれる、前記種別が同一の情報を隣接して配置することにより新たな文書を作成する作成部３４とを備える。【選択図】図２
2007133777.tif 000002
【特許請求の範囲】
【請求項１】
複数の文書コンテンツから文書を作成する装置であって、前記複数の文書コンテンツの各々は、複数の種別の情報を含み、
文書コンテンツの選択を受け付ける選択受付手段と、
前記選択された文書コンテンツに含まれる、前記種別が同一の情報を隣接して配置することにより新たな文書を作成する作成手段とを備える
ことを特徴とする文書作成装置。
【請求項２】
前記作成手段は、前記新たな文書を作成する際に、前記種別が同一の各情報を記載する大きさを同じにする
ことを特徴とする請求項１に記載の文書作成装置。
【請求項３】
前記複数の文書コンテンツの各々は、複数の種別の情報と２つ以上の前記種別に共通する上位種別とを含み、
前記作成手段は、前記新たな文書を作成する際に、前記上位種別が付与されていない情報については、当該情報を新たな文書に隣接して配置し、
前記文書作成装置は、さらに、前記新たな文書を作成する際に、前記上位種別が付与されている情報については、前記上位種別に属する情報のうち、同一の前記文書コンテンツに含まれる情報を隣接して配置したブロックを作成するブロック作成手段と、
前記ブロック作成手段により作成された前記ブロックを隣接して配置するブロック配置手段とを備える
ことを特徴とする請求項１または２に記載の文書作成装置。
【請求項４】
前記ブロック作成手段は、前記ブロックに含まれる前記情報の種別および当該情報の種別の前記ブロック内の配置を予め定めたテンプレートに従って、各前記情報を配置する
ことを特徴とする請求項３に記載の文書作成装置。
【請求項５】
前記ブロック作成手段は、前記文書コンテンツの所定の前記種別に含まれる情報に基づいて選択される前記テンプレートが定められている場合は、当該テンプレートに従って前記ブロックを作成する
ことを特徴とする請求項４に記載の文書作成装置。
【請求項６】
前記ブロック作成手段は、前記テンプレートを適用する場合に、予め定めた複数の前記テンプレートの中から利用者が選択した前記テンプレートを適用する
ことを特徴とする請求項４または請求項５のいずれか１項に記載の文書作成装置。
【請求項７】
前記作成手段は、新たな文書を作成する際に、利用者が指定する用紙サイズに合わせて、前記新たな文書の１ページに含まれる前記各情報の数および大きさを調整する
ことを特徴とする請求項１から請求項６のいずれか１項に記載の文書作成装置。
【請求項８】
前記文書作成装置は、さらに、新たな文書を利用者に提供する文書提供手段と、
一定額の課金について前記利用者の承諾を確認する課金確認手段とを備え、
前記文書提供手段は、前記課金確認手段により前記利用者が課金に承諾したことを確認した後に、前記新たな文書を前記利用者に提供する
ことを特徴とする請求項１から請求項７のいずれか１項に記載の文書作成装置。
【請求項９】
前記文書コンテンツは、旅行先を案内する情報を内容とするデータであり、
前記種別は、前記情報が示す場所の名称、住所および当該場所で受けられる特典を表示するクーポンを含み、
前記作成手段は、前記新たな文書としてガイドブックを作成する
ことを特徴とする請求項１から８のいずれか1項に記載の文書作成装置。
【請求項１０】
複数の文書コンテンツから文書を作成する方法であって、前記複数の文書コンテンツの各々は、複数の種別の情報を含み、
文書コンテンツの選択を受け付ける選択受付ステップと、
前記選択された文書コンテンツに含まれる、前記種別が同一の情報を隣接して配置することにより新たな文書を作成する作成ステップとを備える
ことを特徴とする文書作成方法。
【請求項１１】
複数の文書コンテンツから文書を作成するプログラムであって、前記複数の文書コンテンツの各々は、複数の種別の情報を含み、
文書コンテンツの選択を受け付ける選択受付ステップと、
前記選択された文書コンテンツに含まれる、前記種別が同一の情報を隣接して配置することにより新たな文書を作成する作成ステップとを備える
ことを特徴とする文書作成プログラム。
【発明の詳細な説明】
【技術分野】
【０００１】
本発明は、文書作成装置に関し、特に、印刷文書や電子的文書を作成する文書作成装置に関する。
【背景技術】
【０００２】
従来、文書の再利用のため文書データベースやそれを利用するための装置が提案されている（例えば、特許文献１）。従来の文書作成装置は、多数のコンテンツを持つデータベースから、予め定めたテンプレートに従ってレイアウトされた文書を自動的に作成する装置である。テンプレートは、そのテンプレートに含まれる情報の種別および種別毎の配置を決定する。これにより、従来の文書作成装置は、同一または類似の体裁を繰り返す文書を自動的に作成する。
【特許文献１】特開２０００-３３９３０６号公報
【発明の開示】
【発明が解決しようとする課題】
【０００３】
しかしながら、従来の文書作成装置により作成される文書は、同一または類似の体裁を繰り返すレイアウトであり、利用者が利用し易いとは限らないという問題がある。
【０００４】
例えば、クーポン券が付いたガイドブックを作成する場合、従来の文書作成装置では、クーポン券は、そのクーポン券が使用できる店舗などの情報とともに記載される。クーポン券を使用する際、利用者は、多数のガイド情報の中からその店舗などが記載される箇所を探し、さらにその中からクーポン券を探し出さなければならない。このように多数のガイド情報の中に紛れたクーポン券を探し出すことは手間がかかり、そのようなガイドブックは、利用者にとって不便である。
【０００５】
本発明は、上記の問題を解決するためになされたもので、利用者にとって利便性の高い文書を作成できる文書作成装置の提供を目的とする。
【課題を解決するための手段】
【０００６】
上記目的を達成するために、本発明に係る文書作成装置は、複数の文書コンテンツから文書を作成する装置であって、前記複数の文書コンテンツの各々は、複数の種別の情報を含み、文書コンテンツの選択を受け付ける選択受付手段と、前記選択された文書コンテンツに含まれる、前記種別が同一の情報を隣接して配置することにより新たな文書を作成する作成手段とを備える。
【０００７】
これにより、利用者は、文書を選択することが可能となる。例えば、観光用のガイドブックであれば、利用者が旅行に携帯したい情報のみを掲載したガイドブックを、利用者が容易に作成することができる。このため各利用者にとって利用価値の高い文書を簡単に作成することが可能となる。
【０００８】
また、選択された文書に含まれる複数の情報を、各情報に付与されている種別に従って１箇所にまとめられたレイアウトとすることが可能となる。例えば、観光用のガイドブックであれば、先のようにクーポン部分を文書の末尾にまとめることができる。このように、特定の情報が１ヶ所にまとまった冊子を作成することができるため、利用者は必要な情報を容易に見つけ出すことが可能となり、文書利用の利便性が向上する。
【０００９】
好ましくは、前記作成手段は、前記新たな文書を作成する際に、前記種別が同一の各情報を記載する大きさを同じにする。
【００１０】
これにより、統一されたレイアウトによる文書を作成することが可能となり、文書に含まれる情報の検索が容易になる。このため、文書利用の利便性が向上する。
【００１１】
さらに好ましくは、前記複数の文書コンテンツの各々は、複数の種別の情報と２つ以上の前記種別に共通する上位種別とを含み、前記作成手段は、前記新たな文書を作成する際に、前記上位種別が付与されていない情報については、当該情報を新たな文書に隣接して配置し、前記文書作成装置は、さらに、前記新たな文書を作成する際に、前記上位種別が付与されている情報については、前記上位種別に属する情報のうち、同一の前記文書コンテンツに含まれる情報を隣接して配置したブロックを作成するブロック作成手段と、前記ブロック作成手段により作成された前記ブロックを隣接して配置するブロック配置手段とを備える。
【００１２】
このように同一箇所にまとめる情報の種別を複数にすることにより、作成される文書のレイアウトは、多様になる。そのため、より利用者が、利用し易いレイアウトの文書を提供することが可能となる。
【００１３】
さらに好ましくは、前記ブロック作成手段は、前記ブロックに含まれる前記情報の種別および当該情報の種別の前記ブロック内の配置を予め定めたテンプレートに従って、各前記情報を配置する。
【００１４】
さらに好ましくは、前記ブロック作成手段は、前記文書コンテンツの所定の前記種別に含まれる情報に基づいて選択される前記テンプレートが定められている場合は、当該テンプレートに従って前記ブロックを作成する。
【００１５】
このようにテンプレートを適用することにより、作成される文書のレイアウトは、多様になる。そのため、より利用者が、利用し易いレイアウトの文書を提供することが可能となる。
【００１６】
さらに好ましくは、前記ブロック作成手段は、前記テンプレートを適用する場合に、予め定めた複数の前記テンプレートの中から利用者が選択した前記テンプレートを適用する。
【００１７】
さらに好ましくは、前記作成手段は、新たな文書を作成する際に、利用者が指定する用紙サイズに合わせて、前記新たな文書の１ページに含まれる前記各情報の数および大きさを調整する。
【００１８】
利用者がテンプレートや用紙サイズを指定することにより、個別の利用者にとって利便性の高い文書を提供することが可能となる。
【００１９】
さらに好ましくは、前記文書作成装置は、さらに、新たな文書を利用者に提供する文書提供手段と、一定額の課金について前記利用者の承諾を確認する課金確認手段とを備え、前記文書提供手段は、前記課金確認手段により前記利用者が課金に承諾したことを確認した後に、前記新たな文書を前記利用者に提供する。
【００２０】
このように利用者が選択する文書の量、すなわち提供する情報量に関わらず、新たな文書の提供に課する料金を一定とすることにより、利用者は、多くの情報を含む文書を安く入手することが可能となる。これにより利用者数が増加すれば、文書の提供者にとっても利益となる。また、文書を印刷する用紙費用は利用者が負担し、文書の提供者が負担する費用は、情報量と文書を作成するサーバの負担に係る費用である。特にこれらの提供者が負担する費用が比較的低い場合は、利用者および文書提供者の双方にとって利益が大きい。
【００２１】
さらに好ましくは、前記文書コンテンツは、旅行先を案内する情報を内容とするデータであり、前記種別は、前記情報が示す場所の名称、住所および当該場所で受けられる特典を表示するクーポンを含み、前記作成手段は、前記新たな文書としてガイドブックを作成する。
【００２２】
利用者が選択した文書コンテンツに含まれる情報からガイドブックを作成することにより、利用者は、各自の旅行計画に適した旅行先の情報のみを集めたガイドブックを作成することができる。また、作成された文書は、ガイド情報が記載された部分とクーポンが記載された部分とがそれぞれ、まとまった構成となるため、新たに作成された文書から利用したいクーポンを簡単に見つけることができる。これにより、利用者にとって利便性の高い文書を提供することが可能となる。
【００２３】
なお、本発明は、このような特徴的な手段を備える文書作成装置として実現することができるだけでなく、文書作成装置に含まれる特徴的な手段をステップとする文書作成方法として実現したり、文書作成装置に含まれる特徴的な手段としてコンピュータを機能させるプログラムとして実現したりすることもできる。そして、そのようなプログラムは、ＣＤ−ＲＯＭ（Compact Disc-Read Only Memory）等の記録媒体やインターネット等の通信ネットワークを介して流通させることができるのは言うまでもない。
【発明の効果】
【００２４】
利用者が選択した文書について、その文書に含まれる情報に予め付与する種別毎に、自動的にまとめて出力することが可能となり、利用者にとって使い易い文書を容易に作成することができる。
【発明を実施するための最良の形態】
【００２５】
以下に、図面を参照しながら、本発明に係る文書作成装置の実施の形態について説明する。
【００２６】
（第１の実施の形態）
本発明の第１の実施の形態に係る文書作成装置１０の構成について、図１から図１１までを参照して説明する。
【００２７】
まず、図１から図３までを参照して、本発明の第１の実施の形態に係る文書作成装置１０の構成について説明する。
【００２８】
図１は、本発明に係る文書作成装置１０を使用した文書提供システムのハードウェア構成を示す図である。文書提供システムは、インターネット５を介して文書作成装置１０から端末１２、１６に文書コンテンツを提供するシステムである。
【００２９】
ここで、「文書」は、文字情報のほか、写真や絵等の文字以外の画像情報を含む。
文書作成装置１０は、端末１２、１６からのファイル送信要求を受信し、受信した要求に応じて端末１２、１６において閲覧や印刷が可能な文書ファイルを作成し、ファイルの送信を要求した端末にその文書ファイルを送信する。文書ファイルは、例えば、ＨＴＭＬ（HyperText Markup Language）ファイルやＰＤＦ（Portable Document Format）ファイルである。
【００３０】
端末１２、１６は、文書作成装置１０に文書を要求し、その要求に応じて文書作成装置１０から送信された文書を受信する。
【００３１】
印刷機器１４，１８は、端末１２、１６において受信した文書をそれぞれ印刷する機器である。印刷機器１４、１８の一例は、プリンタである。
【００３２】
図２は、本発明の第１の実施の形態に係る文書作成装置１０の機能的構成を示すブロック図である。文書作成装置１０は、インターネット５を介して、端末１２（１６）からの要求を受け付け、その要求に応じて文書を送信する。
【００３３】
文書作成装置１０は、Ｉ／Ｆ（インターフェース）部２２と、要求判断部２４と、課金確認部２６と、コンテンツ記憶部２８と、表示受付部３０と、選択受付部３２と、作成部３４とを備える。
【００３４】
Ｉ／Ｆ部２２は、インターネット５に接続されており、端末１２（１６）からのファイル送信要求を受信し、また、作成した文書ファイルをその要求を送信した端末１２（１６）に送信する。
【００３５】
要求判断部２４は、Ｉ／Ｆ部２２が受け付けた端末１２（１６）からの要求の内容を判断し、その判断した結果に基づいて、受け付けた要求を表示受付部２６、課金確認部２６、または選択受付部３２に渡す。
【００３６】
Ｉ／Ｆ部２２が受信する端末１２（１６）からの要求は、３種類ある。１つは、例えば、利用者の選択の対象となる文書の送信要求である。以後、この要求を、「表示要求」という。１つは、表示要求に応じて提供された文書を選択したことを記憶するように要求する「選択要求」である。１つは、その選択した文書に含まれる情報を再構成して、新たな文書を作成し、その作成した新たな文書を含む電子ファイルの送信要求である。以後、この要求を「作成要求」という。
【００３７】
要求判断部２４は、Ｉ／Ｆ部２２が受け付けた端末１２（１６）からの要求について、表示要求、選択要求および作成要求のいずれかであるかを判断する。表示要求であると判断した場合、要求判断部２４は、表示受付部２６に受け付けた要求を引き渡す。選択要求であると判断した場合、要求判断部２４は、選択受付部３２に受け付けた要求を引き渡す。作成要求であると判断した場合、要求判断部２４は、課金確認部２６を介して選択受付部３２に受け付けた要求を引き渡す。
【００３８】
課金確認部２６は、利用者の選択に基づく新たな文書を作成する前に、利用者に対して課金の確認をする。
【００３９】
課金確認部２６は、作成要求を受信したとの判断を要求判断部２４から受け、Ｉ／Ｆ部２２を介して利用者に課金の確認をする。また、課金確認部２６は、Ｉ／Ｆ部２２を介して利用者からの課金の承諾を受けると、選択受付部３２に利用者が課金に承諾したことを内容とする課金確認情報を引き渡す。
【００４０】
コンテンツ記憶部２８は、コンテンツデータ２８ａを記憶する。コンテンツデータ２８ａは、文書作成装置１０が提供する文書コンテンツのデータベースである。コンテンツデータ２８ａは、利用者の要求に応じて表示受付部２６および選択受付部３２により抽出される。抽出されたコンテンツデータ２８ａは、利用者の要求に応じた文書が作成された後、利用者に提供される。
【００４１】
選択受付部３２は、利用者が選択した文書を記憶する。また、選択受付部３２は、利用者が選択した文書に含まれる情報をコンテンツ記憶部２８から抽出する。
【００４２】
選択受付部３２は、要求判断部２４から利用者の選択要求を受けると、その選択された文書を記憶する。
【００４３】
また、選択受付部３２は、課金確認部２６から課金確認情報を受け付ける。課金確認情報を受け付けた選択受付部３２は、利用者の選択した文書に含まれる情報をコンテンツデータ２８ａから抽出し、抽出されたコンテンツデータ２８ａを作成部３４に引き渡す。
【００４４】
作成部３４は、利用者の選択に係るコンテンツデータ２８ａを抽出し、予め定めた方法により新たな文書を作成する。本実施の形態における作成において、作成部３４は、選択文書の情報を情報種別毎にまとめる。
【００４５】
作成部３４により作成された文書は、Ｉ／Ｆ部２２を介して、選択要求を送信した端末１２（１６）に電子ファイルとして送信される。
【００４６】
これらの部位を備える文書作成装置１０により、利用者は文書を選択することが可能となる。また、選択した文書に含まれる情報を元に文書ファイルを作成することが可能となる。このようにして作成される文書ファイルは、利用者にとって重要な情報のみを集約しており、その利用者にとって利用価値の高い文書を作成できる。従って、利用者の利便性を向上させる。
【００４７】
図３は、コンテンツ記憶部２８に記憶されているコンテンツデータ２８ａの第１の例を示す図である。コンテンツデータ２８ａは、文書種別と、名称と、写真と、説明と、アクセス１と、アクセス２と、アクセス３と、クーポンとを含み、本発明に係る文書作成装置１０が提供する文書ファイルはこれらに属する情報から作成される。
【００４８】
以後、これらの文書種別、名称、写真、説明、アクセス１、アクセス２、アクセス３およびクーポンを総称して、「情報種別」という。「情報種別」とは、文書に含まれる情報の種別のことであり、またはその種別を示す名称のことである。以下に、各情報種別に属する情報の内容について説明する。
【００４９】
「文書種別」に属する情報の内容は、各行に格納されている情報が属する種別を示す名称である。例えば、食事処である「タビ寿司」という寿司屋に関する情報が属する種別を示す「食べ処」が、「文書種別」の一例である。図には示していないが、レストランやラーメン屋のような食事に関する情報を含む文書は、「食べ処」に属する。
【００５０】
「名称」に属する情報の内容は、飲食店、観光スポット、宿泊施設など（以下、「飲食店など」という。）の名称である。例えば、すし屋の名称である「タビ寿司」は、「名称」の一例である。
【００５１】
「写真」に属する情報の内容は、飲食店などに関連する写真や画像が含まれる電子ファイル名である。例えば、タビ寿司に関連する写真を内容とする電子ファイルである「photo1.gif」は、「写真」の一例である。
【００５２】
「説明」に属する情報の内容は、飲食店などに関する説明である。例えば、タビ寿司に関する説明である「地元の人でにぎわう人気店。」は、「説明」の一例である。
【００５３】
「アクセス１」、「アクセス２」および「アクセス３」に属する情報の内容は、飲食店などへのアクセスに関する情報である。本実施の形態において、夫々は、飲食店などの場所を示す地図を含む電子ファイルを示す情報、店舗などの住所および店舗などの電話番号である。例えば、タビ寿司の所在地を示す地図を内容とする電子ファイルを示す「map1.gif」は、「アクセス１」の一例である。タビ寿司の住所である「北海道網走市３条西×丁目」は、「アクセス２」の一例である。タビ寿司の電話番号である「0152-xx-xxxx」は、「アクセス３」の一例である。
【００５４】
ここで、「アクセス」は、「アクセス１」、「アクセス２」および「アクセス３」に共通する上位の情報種別である。このように上位の情報種別を付与することは、下位にある複数の情報種別に属する情報をまとめて扱うことを可能とする。
【００５５】
「クーポン」に属する情報の内容は、飲食店などで当該箇所が記載された文書を提示することにより料金の割引などのサービスを受けることができるクーポン情報である。例えば、タビ寿司の「クーポン（タビ寿司）飲み物１杯無料」は、「クーポン」の一例である。
【００５６】
このように、本発明に係る文書作成装置１０は、各情報を表構造のデータで保持している。これにより、本発明に係る文書作成装置１０は、利用者が行単位で選択した情報群のうち、同一の情報種別に属する情報のみをまとめたページを作成することができる。
【００５７】
次に、図４および図５を参照して、本発明の第１の実施の形態に係る文書作成装置１０が実行する処理について説明する。
【００５８】
図４は、本発明の第１の実施の形態に係る文書作成装置が実行する処理のフローチャートである。
【００５９】
Ｉ／Ｆ部２２は、端末１２（１６）からの各要求、すなわち表示要求、選択要求および作成要求を受け付ける。Ｉ／Ｆ部２２は、端末１２（１６）からこれらの要求が全くない場合（Ｓ１でＮＯ）、処理を終了する。Ｉ／Ｆ部２２は、端末１２（１６）からいずれかの要求がある場合（Ｓ１でＹＥＳ）、その要求内容を要求判断部２４に引き渡す。
【００６０】
要求判断部２４は、Ｉ／Ｆ部２２を介して受けとる端末１２（１６）からの要求が、選択要求であるか否かを判断する（Ｓ２）。要求判断部２４は、端末１２（１６）からの要求が選択要求の場合（Ｓ２でＹＥＳ）、その要求を選択受付部３２に引き渡す。選択要求を受け付けた選択受付部３２は、どの文書が選択されたかを記憶する（Ｓ３）。
【００６１】
端末１２（１６）からの要求が選択要求でない場合（Ｓ２でＮＯ）、端末受付部２４は、その要求が作成要求であるか否かを判断する（Ｓ４）。
【００６２】
要求判断部２４は、端末１２（１６）からの要求が作成要求ではないと判断した場合（Ｓ４でＮＯ）、その要求は表示要求であるため、表示受付部３０にその要求を引き渡す。
【００６３】
表示受付部３０は、Ｉ／Ｆ部２２および要求判断部２４を介して受けた端末１２（１６）からの要求に応じて、文書コンテンツをコンテンツ記憶部２８から抽出する（Ｓ５）。
【００６４】
例えば、図３に示されるコンテンツデータ２８ａがコンテンツ記憶部２８に格納されている場合、端末１２から「タビ寿司」に関する情報の送信要求を受けた表示受付部３０は、「タビ寿司」と同じ行に格納されている情報を抽出する。具体的には、「photo1.gif」、「地元の人でにぎわう人気店。」、「map1.gif」などを抽出する。
【００６５】
表示受付部３０は、抽出した情報を端末１２のブラウザ上で閲覧可能なファイル形式に編集して、Ｉ／Ｆ部２２に引き渡す。例えば、表示受付部３０は、「photo1.gif」および「map1.gif」というＧＩＦファイルとともにＨＴＭＬファイルをＩ／Ｆ部２２に引き渡す。Ｉ／Ｆ部２２は、表示受付部３０から受けた電子ファイルを、要求を送信した端末１２に送信して（Ｓ６）、処理を終了する。
【００６６】
要求判断部２４は、端末１２（１６）からの要求が作成要求の場合（Ｓ４でＹＥＳ）、その要求を課金確認部２６に引き渡す。課金確認部２６は、利用者に課金を確認するための画面情報を含む電子ファイルをＩ／Ｆ部２２に引き渡す。Ｉ／Ｆ部２２は、その電子ファイルを端末１２（１６）に送信する（Ｓ７）。
【００６７】
課金確認部２６は、Ｉ／Ｆ部２２を介して利用者が課金を承諾したことを示す承諾情報および利用者が課金を拒否したことを示す拒否情報を受信し、受信した情報がそのいずれであるかを判断する（Ｓ８）。
【００６８】
拒否情報であると判断した課金確認部２６は（Ｓ８でＮＯ）、処理を終了する。
承諾情報であると判断した課金確認部２６は（Ｓ８でＹＥＳ）、利用者の選択文書に含まれる情報を再構成した電子ファイルを作成するため、選択受付部３２に処理を進めるよう指示する。
【００６９】
課金確認部２６から処理を進めるよう指示を受けた選択受付部３２は、自身が記憶している選択された文書に含まれる情報をコンテンツ記憶部２８から抽出し（Ｓ９）、作成部３４に引き渡す。
【００７０】
利用者により選択された文書を受け付けた作成部３４は、予め定めたレイアウトである文書を含む電子ファイルを作成する（Ｓ１０）。この作成部３４が実行する作成処理（Ｓ１０）の詳細は、後に述べる。作成処理（Ｓ１０）において作成される電子ファイルは、例えば、ＰＤＦファイルである。
【００７１】
Ｉ／Ｆ部２２は、作成部３４が作成した電子ファイルを作成部３４から受け取り、その電子ファイルの要求をした端末１２（１６）に送信する（Ｓ１１）。
【００７２】
以上の本発明に係る文書作成装置１０における処理により、利用者は、選択した文書に含まれるコンテンツのみからなる電子ファイルを端末の１２（１６）の画面上で閲覧し、またプリンタ１４（１８）を用いて印刷することができる。
【００７３】
ここから図５を参照して作成部３４における処理の詳細を説明する。
図５は、図４に示した作成処理（Ｓ１０）における処理の詳細を示すフローチャートである。
【００７４】
作成部３４は、出力対象となる情報種別毎に、処理を繰り返す（Ｓ２１）。繰り返される処理は、利用者が選択した文書毎に（Ｓ２２）、処理の対象となっている情報種別に含まれる情報を順に張り付ける処理（Ｓ２３）および選択された全ての文書について貼り付け処理が終了した後にページを改める処理（Ｓ２４）である。
【００７５】
さらに、図６から図１１を参照しながら、端末１２（１６）において表示される画面例や本実施の形態に係る文書作成装置１０により作成される冊子の例について説明する。
【００７６】
図６から図９までは、表示要求に応じてＩ／Ｆ部２２から送信された電子ファイルを受信した端末１２（１６）のブラウザ上での表示例である。
【００７７】
図６は、本発明に係る文書作成装置から提供されるＨＴＭＬファイルを受信した端末のブラウザ上での第１の表示例を示す図である。本図は、端末１２（１６）が「タビ寿司」に関する情報の表示要求を送信した場合の例である。端末１２（１６）のブラウザは、左上に名称６１を、その下に説明６２を、さらにその下に写真６３を、写真の右上にアクセス１である地図６４を、その右にクーポン６７を、その上に選択チェック欄６８を、地図６４およびクーポン６７の下に住所６５を、さらにその下に電話番号６６を、さらにその右下に作成ボタン６９を表示している。
【００７８】
図７は、本発明に係る文書作成装置から提供されるＨＴＭＬファイルを受信した端末のブラウザ上での第２の表示例を示す図である。本図は、端末１２（１６）が「Ｂａｒクー」に関する情報の表示要求を送信した場合の例である。画面の構成は、図６と同様であるため省略する。
【００７９】
図８は、本発明に係る文書作成装置から提供されるＨＴＭＬファイルを受信した端末のブラウザ上での第３の表示例を示す図である。本図は、端末１２（１６）が「北海タワー」に関する情報の表示要求を送信した場合の例である。画面の構成は、図６と同様であるため省略する。
【００８０】
図９は、本発明に係る文書作成装置から提供されるＨＴＭＬファイルを受信した端末のブラウザ上での第４の表示例を示す図である。本図は、端末１２（１６）が「タビ旅館」に関する情報の表示要求を送信した場合の例である。画面の構成は、図６と同様であるため省略する。
【００８１】
ここで、図６から図９までに示した画面例に共通する、右上の選択チェック欄６８、７８、８８、９８および作成ボタン６９、７９、８９、９９が備える機能について説明する。
【００８２】
まず、選択チェック欄６８、７８、８８、９８について説明する。利用者は、ブラウザ上の選択チェック欄６８、７８、８８、９８にチェックを入れることにより、ブラウザ上に表示されている文書を選択することができる。本実施の形態では、利用者が選択チェック欄６８、７８、８８、９８にチェックを入れると、その文書が選択されたことを示す選択要求が文書作成装置１０に送信される。選択受付部３２は、選択要求を受けて、その文書が選択されたことを記憶する（図４のＳ２でＹＥＳかつＳ３）。
【００８３】
例えば、図６、図８および図９の選択チェック欄６８、８８、９８に「レ」が表示されており、図６、図８および図９に含まれる文書に対してチェックが為されている。図７の選択チェック欄７８は空白であり、チェックは為されていない。そのため、利用者の選択した情報は、図６、図８および図９に含まれる情報であり、選択受付部３２は、「タビ寿司」、「北海タワー」および「タビ旅館」が選択されたことを記憶している。
【００８４】
次に、作成ボタン６９、７９、８９、９９について説明する。利用者が作成ボタン６９、７９、８９、９９を押下すると、作成要求がその端末１２（１６）から文書作成装置１０のＩ／Ｆ部２２へ送信される。Ｉ／Ｆ部２２を介して作成要求を受けた作成部３４は、選択された文書に含まれる情報により構成される文書を内容とする電子ファイルを作成する（図４のＳ１０）。
【００８５】
図１０は、本発明に係る文書作成装置１０が有料で文書ファイルを提供する場合に、端末１２（１６）の画面上で表示される課金確認のための画面の第１の例を示す図である。
【００８６】
端末１２（１６）の画面には、選択文書の内容、料金が一律１００円であることおよび決済方法が記載されている。課金確認に対して承諾する場合は「はい」ボタン１０１を押下し、承諾しない場合は「いいえ」１０２ボタンを押下する。端末１２（１６）は、「はい」ボタン１０１が押下されると承諾情報を文書作成装置１０に送信し、「いいえ」ボタン１０２が押下されると拒否情報を文書作成装置１０に送信する。
【００８７】
承諾情報および拒否情報のいずれかを受けた課金確認部２６は、受信した情報がそのいずれであるかを判断し、その情報に従って処理を実行する。すなわち、課金確認部２６は、拒否情報の場合に処理を終了し（Ｓ８でＮＯ）、承諾情報の場合に選択情報からなる文書の作成を進める指示を選択受付部３２に出力する（Ｓ８でＹＥＳ）。
【００８８】
図１１は、本発明に係る文書作成装置が提供する文書を印刷した冊子の第１の例を示す図である。印刷された小冊子は、４ページから成り、図１１（ａ）に示される１ページ目は目次、図１１（ｂ）および（ｃ）に示される２〜３ページ目はアクセス情報、図１１（ｄ）に示される４ページ目はクーポン情報を含む。
【００８９】
図１１（ａ）に示される１ページ目の目次は、図３の例において情報種別が「名称」に属する情報から作られている。各情報は、「タビ寿司」、「北海タワー」、「タビ旅館」の順に下に並べて貼り付けられている。
【００９０】
図１１（ｂ）および（ｃ）に示される２〜３ページ目のアクセス情報は、図３の例において情報種別が「アクセス」に属する情報から作られており、「アクセス１」、「アクセス２」、「アクセス３」が順に下に並べて貼り付けられている。さらに、各アクセス情報は、「タビ寿司」に関するアクセス情報、「北海タワー」に関するアクセス情報、「タビ旅館」に関するアクセス情報の順に下に追加して貼り付けられている。なお、作成部３４は、下に追加する際に所定のページサイズに収まらない場合、ページを変える。そのため、アクセス情報は、２ページにまたがっている。
【００９１】
図１１（ｄ）に示される４ページ目のクーポン情報は、図３の例において情報種別が「クーポン」に属する情報から作られている。各情報は、「タビ寿司」のクーポン、「北海タワー」のクーポン、「タビ旅館」のクーポンの順に下に並べて貼り付けられている。
【００９２】
図１１に示す内容を含む電子ファイルを作成する際に実行される具体的な処理について、図５のフローチャートを参照しながら説明する。
【００９３】
利用者が選択した文書に含まれる情報から成る電子ファイルを印刷した例であり、本実施の形態において利用者が選択した文書は、図６に示す「タビ寿司」、図８に示す「北海タワー」および図９に示す「タビ旅館」である。
【００９４】
利用者がこれらを選択したため、作成部３４は、図３の「食べ処、タビ寿司」の行、「体験・観光、北海タワー」の行および「宿泊、タビ旅館」の行にある全ての情報を選択受付部３２から受け取る。作成部３４は、これらの情報を用いて予め定めた方法に従って文書の作成処理を行う。
【００９５】
なお、情報種別が「写真」および「アクセス１」で参照しているｇｉｆファイルも、作成部３４は、選択受付部３２から受け取り、これらの画像は作成される文書ファイルの中に埋め込まれる。
【００９６】
また、本実施の形態において利用者により選択された文書を作成する際に対象となる情報種別は、「名称」、「アクセス」および「クーポン」である。作成部３４は、この順序で処理を行うように定められているものとする。なお、「アクセス」は、「アクセス１」、「アクセス２」および「アクセス３」を含む上位の情報種別である。
【００９７】
作成部３４は、まず、「名称」について処理を行う（Ｓ２１）。選択された文書は、「タビ寿司」、「北海タワー」、「タビ旅館」である。本実施の形態において、選択文書の処理は利用者が選択した順序で処理をするように定められているものとし、利用者はこの順序で選択したものとする。
【００９８】
そこで、作成部３４は、「名称」に属する情報である、「タビ寿司」、「北海タワー」および「タビ旅館」を順に貼り付ける（Ｓ２３）。図１１に記載されている名称の前の数字は、自動的に順に振られる数字である。これら３つの貼り付け処理が終了すると、改ページ処理がなされる（Ｓ２４）。
【００９９】
作成部３４は、次に、「アクセス」について処理を行う（Ｓ２１）。作成部３４は、ここでも、「名称」の場合と同様に、「タビ寿司」、「北海タワー」、「タビ旅館」の順に処理を行う。「タビ寿司」の情報について（Ｓ２２）、アクセス１に属する情報である「map1.gif」に含まれる地図画像、アクセス２に属する情報である「北海道網走市３条西×丁目」、アクセス３に属する情報である「0152-xx-xxxx」が順に下に続けて、貼り付けられる（Ｓ２３）。「北海タワー」の情報についても（Ｓ２２）、同様に「アクセス１」、「アクセス２」、「アクセス３」の張り付け処理が順に行われる（Ｓ２３）。「タビ旅館」についても（Ｓ２２）、同様に「アクセス１」、「アクセス２」、「アクセス３」貼り付け処理が行われる（Ｓ２３）。作成部３４は、全ての選択文書について処理が終了すると（Ｓ２２）、改ページ処理を行う（Ｓ２４）。
【０１００】
作成部３４は、続けて、「クーポン」について処理を行う（Ｓ２１）。作成部３４は、
「名称」における処理と同様に「タビ寿司」、「北海タワー」および「タビ旅館」の「クーポン」に属する情報を順に（Ｓ２２）、貼り付ける（Ｓ２３）。作成部３４は、全ての選択文書について処理が終了すると（Ｓ２２）、改ページ処理を行う（Ｓ２４）。
【０１０１】
このようにして作成されたガイドブックは、利用者にとって必要な情報のみが集約されているため、必要十分な情報内容を備えたガイドブックである。このようなガイドブックは、市販のガイドブックよりも小さくすることができるため、旅先で持ち歩き易い。また、コンテンツ記憶部２８の情報を更新することにより、利用者は、常に最新のガイドブックを容易に作成することが可能となる。さらに、クーポンが最後のページにまとまっているため、お店でクーポンを使用するときにページをめくって探し出す手間がなくなり、ガイドブックの利便性が向上し、クーポンの利用が促進されることが期待できる。
【０１０２】
（第２の実施の形態）
本発明の第２の実施の形態に係る文書作成装置１１の構成について、図１２から図１６までを参照して説明する。本実施の形態は、第１の実施の形態と異なり、文書の作成にテンプレートを使用する。テンプレートは、複数の文書種別に属する情報をブロックとし、そのブロック内に含まれる情報種別とそのブロック内における情報種別の位置を定める。そのため、本実施の形態で作成される文書のレイアウトは、第１の実施形態より多様となる。多様なレイアウトの文書を提供することは、利用者の利便性を高める。
【０１０３】
図１２は、本発明の第２の実施の形態に係る文書作成装置１１の機能的構成を示すブロック図である。第１の実施の形態との違いは、文書作成装置１１が、テンプレート記憶部３６を備えており、作成部３５が文書を作成する際にテンプレート記憶部３６の内容を参照することである。
【０１０４】
文書作成装置１１は、Ｉ／Ｆ部２２と、要求判断部２４と、課金確認部２６と、コンテンツ記憶部２８と、表示受付部３０と、選択受付部３２と、作成部３５と、テンプレート記憶部３６とを備える。図２に示す第１の実施の形態に係る文書作成装置１０と同じ機能を備える部位は、同じ参照符号を付されている。異なる部位は、テンプレート記憶部３６と、作成部３５とであるため、これらについて説明する。
【０１０５】
テンプレート記憶部３６は、選択文書から新たな文書を作成する際に適用するテンプレート３６ａを記憶し、階層構造を有する文書種別に対するテンプレートを記憶する。本実施の形態において、テンプレート記憶部３６が記憶している内容は、「アクセス」テンプレート３６ａであり、文書種別「アクセス」のレイアウトに使用するテンプレートである。
【０１０６】
作成部３５は、選択受付部３２から受けたコンテンツデータ２８ａを予め定めた形式でレイアウトし、文書ファイルを作成する。
【０１０７】
本実施の形態におけるレイアウトの形式は、テンプレート記憶部３６にテンプレートが記憶されていない情報種別の場合、第１の実施の形態と同様に選択文書の情報を情報種別毎に並べる形式であり、並べ方は、情報を単に下に追加していく方法である。テンプレート記憶部３６にテンプレートが記憶されている情報種別の場合、第１の実施の形態とは異なり、その情報種別に属する情報のレイアウトは、テンプレートに従う。
【０１０８】
作成部３５により作成された文書ファイルは、Ｉ／Ｆ部２２を介して、選択要求を送信した端末１２（１６）に送信される。
【０１０９】
図１３は、テンプレート記憶部３６に記憶されているテンプレートデータ３６ａの第１の例の詳細を示す図である。本図のテンプレート記憶部３６は、情報種別が「アクセス」に属する情報のレイアウトに使用するテンプレートのみを記憶している例である。
【０１１０】
本図の例は、１つの選択文書に含まれる「アクセス」の下位にある各文書種別に属する情報について、「アクセス１」に属する情報を左に、「アクセス２」に属する情報を右上に、「アクセス３」に属する情報を右下に貼り付けることを示す。
【０１１１】
図１４は、本発明の第２の実施の形態に係る文書作成装置１１が実行する処理のフローチャートである。図４との違いは、作成部３５が、テンプレート記憶部３６からテンプレート３６ａを読み出す処理をし（Ｓ４０）、その読み出したテンプレートを用いて文書の作成処理を実行することである（Ｓ４１）。
【０１１２】
Ｉ／Ｆ部２２は、端末１２（１６）から送信要求がない場合（Ｓ３１でＮＯ）、処理を終了し、端末１２（１６）から送信要求がある場合（Ｓ３１でＹＥＳ）、その要求内容を要求判断部２４に引き渡す。
【０１１３】
要求判断部２４は、端末１２（１６）からの要求が、選択要求であるか否かを判断する（Ｓ３２）。要求判断部２４は、端末１２（１６）からの要求が選択要求の場合（Ｓ３２でＹＥＳ）、その要求を選択受付部３２に引き渡す。選択要求を受け付けた選択受付部３２は、どの文書が選択されたかを記憶する（Ｓ３３）。
【０１１４】
端末１２（１６）からの要求が選択要求でない場合（Ｓ３２でＮＯ）、端末受付部２４は、作成要求であるか否かを判断する（Ｓ３４）。
【０１１５】
要求判断部２４は、端末１２（１６）からの要求が作成要求ではないと判断した場合（Ｓ３４でＮＯ）、表示受付部３０に要求を受け渡す。表示受付部３０は、端末１２（１６）からの要求に応じて、情報をコンテンツ記憶部２８から抽出する（Ｓ３５）。
【０１１６】
表示受付部３０は、抽出した情報を端末１２のブラウザ上で閲覧可能な電子ファイルを作成し、そのファイルを受けたＩ／Ｆ部２２が、その電子ファイルを、要求を送信した端末１２に送信して（Ｓ３４）、処理を終了する。
【０１１７】
要求判断部２４は、端末１２（１６）からの要求が作成要求の場合（Ｓ３４でＹＥＳ）、その要求を課金確認部２６に引き渡す。課金確認部２６は、利用者に課金を確認するための画面を含む電子ファイルを作成する。Ｉ／Ｆ部２２は、その電子ファイルを端末１２（１６）に送信する。
【０１１８】
課金確認部２６は、Ｉ／Ｆ部２２を介して利用者が課金を承諾したか、拒否したかに関する情報を受信し、そのいずれであるかを判断する（Ｓ３８）。
【０１１９】
拒否したと判断した課金確認部２６は（Ｓ３８でＮＯ）、処理を終了する。承諾したと判断した課金確認部２６は（Ｓ３８でＹＥＳ）、利用者の選択に係る文書の情報を含む新たな文書を作成するため、選択受付部３２に処理を進めるよう指示する。処理を進めるよう指示を受けた選択受付部３２は、自身が記憶している選択文書の情報をコンテンツ記憶部２８から抽出し（Ｓ３９）、作成部３５に引き渡す。
【０１２０】
作成部３５は、テンプレート記憶部３６からテンプレートデータ３６ａを読み出す（Ｓ４０）。本実施の形態では、「アクセス」に関するテンプレートを読み出す。さらに、作成部３５は、テンプレートを使用しながら予め定めた方法により新たな文書を電子ファイルとして作成する（Ｓ４０）。ここで作成される電子ファイルは、例えば、ＰＤＦファイルである。作成部３５は、作成した電子ファイルをＩ／Ｆ部２２に引き渡す。
【０１２１】
Ｉ／Ｆ部２２は、作成部３４から受け付けた電子ファイルを、その電子ファイルの要求をした端末１２（１６）に送信する（Ｓ４１）。この作成部３５における処理（Ｓ４１）の詳細は、後に述べる。
【０１２２】
図１５は、図１４に示した作成処理（Ｓ４１）における処理の詳細を示すフローチャートである。図１５に示す全ての処理は、作成部３５が担う。
【０１２３】
作成部３５は、出力対象として定められている情報種別毎に、対象となる情報種別全てについて繰り返し処理を行う（Ｓ５１）。
【０１２４】
上記の繰り返し処理の中で、作成部３５は、まず処理している情報種別に対してテンプレートが用意されているか否かを判断する（Ｓ５２）。テンプレートがない場合（Ｓ５２でＮＯ）、作成部３５は、利用者が選択した文書の全てについて（Ｓ５２）、処理の対象となっている情報種別に含まれる情報を順に張り付ける処理（Ｓ５４）を繰り返し実行する。作成部３５は、全ての選択文書について処理が終了すると、改ページ処理を実行する（Ｓ５８）。
【０１２５】
テンプレートがある場合（Ｓ５２でＹＥＳ）、作成部３５は、利用者が選択した文書の全てについて（Ｓ５５）、処理の対象となっている情報種別に含まれる情報をテンプレートに従って張り付ける処理（Ｓ５６）と、貼り付けたテンプレートを順に下へ並べて位置づける処理（Ｓ５７）とを、繰り返す。作成部３５は、全ての選択文書について処理が終了すると、改ページ処理を実行する（Ｓ５８）。
【０１２６】
出力対象である全ての情報種別について処理を終えると、作成部３５は、処理を終了する。
【０１２７】
図１６は、本発明に係る文書作成装置１１が提供する文書を印刷した冊子の第２の例を示す図である。印刷された小冊子は、３ページから成り、図１６（ａ）に示される１ページ目は目次、図１６（ｂ）に示される２ページ目はアクセス情報、図１６（ｃ）に示される３ページ目はクーポン情報を含む。
【０１２８】
図１１と図１６とは、地図、住所および電話番号の位置関係が異なる。図１６に示す冊子のアクセス情報は、図１１と異なり、テンプレートを使用して作成されるためである。
【０１２９】
図１６（ａ）に示される１ページ目の目次は、図３の例において情報種別が「名称」に属する情報から作られている。各情報は、「タビ寿司」、「北海タワー」、「タビ旅館」の順に下に並べて貼り付けられている。
【０１３０】
図１６（ｂ）に示される２ページ目のアクセス情報は、図３の例において情報種別が「アクセス」に属する情報から作られている。「アクセス１」、「アクセス２」、「アクセス３」は、テンプレート記憶部３６が記憶している「アクセス」テンプレート３６ａに従って貼り付けられている。さらに、テンプレートに貼り付けられた各アクセス情報は、「タビ寿司」に関するアクセス情報、「北海タワー」に関するアクセス情報、「タビ旅館」に関するアクセス情報の順に下に並べて貼り付けられている。
【０１３１】
図１６（ｃ）に示される３ページ目のクーポン情報は、図３の例において情報種別が「クーポン」に属する情報から作られている。各情報は、「タビ寿司」のクーポン、「北海タワー」のクーポン、「タビ旅館」のクーポンの順に下に並べて貼り付けられている。
【０１３２】
図１６に示す内容を含む電子ファイルを作成する際に、作成部３５が実行する具体的な処理について、図１５のフローチャートを参照しながら説明する。
【０１３３】
利用者が選択した文書は、図１１と同じである。そして、作成部３５が、図３の「食べ処、タビ寿司」の行、「体験・観光、北海タワー」の行および「宿泊、タビ旅館」の行にある全ての情報を選択受付部３２から受け取り、これらの情報を用いて予め定めた方法に従って作成処理を行うことも、図１１と同様である。
【０１３４】
作成部３５は、まず、「名称」について処理を行う（Ｓ５１）。選択された文書は、「タビ寿司」、「北海タワー」、「タビ旅館」である。本実施の形態においても、図１１の場合と同様に、選択文書の処理は利用者が選択した順序で処理をするように定められているものとし、利用者はこの順序で選択したものとする。
【０１３５】
作成部３５は、「名称」に対してテンプレートが用意されているか否かを判断する（Ｓ５２）。本実施の形態において、「名称」に対するテンプレートはない（Ｓ５２でＮＯ）。そのため、「名称」に属する情報である「タビ寿司」、「北海タワー」および「タビ旅館」の順で、下に追加していくことにより並べて貼り付ける処理を（Ｓ５３）、繰り返す（Ｓ５４）。図１６に記載されている名称の前の数字は、自動的に順に振られる数字である。繰り返して貼り付ける処理（Ｓ５３）が終了すると、改ページ処理がなされる（Ｓ５８）。
【０１３６】
作成部３５は、次に、「アクセス」について処理を行う（Ｓ５１）。作成部３５は、「アクセス」に対してテンプレートが用意されているか否かを判断する（Ｓ５２）。本実施の形態において、「アクセス」に対するテンプレートがある（Ｓ５２でＹＥＳ）。そこで、テンプレート記憶部３６が記憶しているテンプレートである、「アクセス」テンプレート３６ａに従って、作成部３５は、文書を作成する。
【０１３７】
作成部３５は、ここでも、「名称」の場合と同様に、「タビ寿司」、「北海タワー」、「タビ旅館」の順に処理を行う（Ｓ５５）。
【０１３８】
作成部３５は、「タビ寿司」の情報について（Ｓ５５）、アクセス１に属する情報である「map1.gif」に含まれる地図画像、アクセス２に属する情報である「北海道網走市３条西×丁目」、アクセス３に属する情報である「0152-xx-xxxx」をテンプレートに従って、貼り付ける（Ｓ５６）。作成部３５は、各情報を張り付けた「タビ寿司」のアクセス情報に関するテンプレートをページの一番上に位置付ける（Ｓ５７）。
【０１３９】
作成部３５は、「北海タワー」の情報についても（Ｓ５５）、同様に「アクセス１」、「アクセス２」、「アクセス３」に属する情報をテンプレートに従って張り付ける（Ｓ５６）。作成部３５は、各情報を貼り付けた「北海タワー」のアクセスに関するテンプレートを、「タビ寿司」のアクセス情報に関するテンプレートの下に位置付ける（Ｓ５７）。
【０１４０】
作成部３５は、「タビ旅館」の情報についても（Ｓ５５）、同様に「アクセス１」、「アクセス２」、「アクセス３」に属する情報をテンプレートに従って貼り付ける（Ｓ５６）。作成部３５は、各情報を貼り付けた「タビ旅館」のアクセスに関するテンプレートを、「北海タワー」のアクセス情報に関するテンプレートの下に位置付ける（Ｓ５７）。
【０１４１】
本実施の形態において作成部３５は、「タビ寿司」、「北海タワー」および「タビ旅館」のアクセスに関する情報が、図１１の場合と異なり所定のページサイズに収まるため、ページをまたがないように作成する。
【０１４２】
作成部３５は、続けて、「クーポン」について処理を行う（Ｓ５１）。作成部３５は、「クーポン」に対してテンプレートが用意されているか否かを判断する（Ｓ５２）。本実施の形態において、「クーポン」に対するテンプレートはない（Ｓ５２でＮＯ）。そのため、「タビ寿司」に関するクーポン情報、「北海タワー」に関するクーポン情報および「タビ旅館」に関するクーポン情報の順で、下に追加していくことにより並べて貼り付ける処理を（Ｓ５３）、繰り返す（Ｓ５４）。作成部３５は、全ての選択文書について処理が終了すると（Ｓ５３）、改ページ処理を行う（Ｓ５８）。
【０１４３】
このようにテンプレートを使用してレイアウトすることにより、ガイドブックをコンパクトにすることができ、利便性が向上する。また、利用者にとってより見易く、利用し易いガイドブックを提供することができる。
【０１４４】
以上、本発明の実施の形態に係る文書作成装置１０、１１について説明したが、本発明は、この実施の形態に限定されるものではない。
【０１４５】
例えば、選択文書に含まれる情報から文書を作成する際のレイアウトに変形例が考えられる。
【０１４６】
第１のレイアウトの変形例として、テンプレート記憶部３８が記憶しているテンプレートデータは、情報種別に対するテンプレートのみでなく、文書種別に対するテンプレートをも含んでも構わない。
【０１４７】
図１７は、テンプレート記憶部３８に記憶されているテンプレートデータ３８ａ、３８ｂの第２の例を示す図である。本図に示すテンプレート記憶部３８は、情報種別に対するテンプレートとして「アクセス」テンプレート３８ａを、文書種別に対するテンプレートとして「ガイド」テンプレート３８ｂを記憶している。
【０１４８】
図１８は、テンプレート記憶部３８に記憶されているテンプレートデータ３８ａ、３８ｂの第２の例の詳細を示す図である。図１８（ａ）に示される「アクセス」テンプレート３８ａは、図１３に示す「アクセス」テンプレート３６ａと同じである。そのため、「アクセス」テンプレート３８ａの説明は、省略する。
【０１４９】
図１８（ｂ）に示される「ガイド」テンプレート３８ｂは、文書種別に対して適用されるテンプレートである。例えば、「タビ寿司」、「北海タワー」および「タビ旅館」を利用者が選択すると、「ガイド」テンプレートは、それぞれの行に含まれる情報に対して適用される。「ガイド」テンプレート３８ｂは、利用者が「タビ寿司」を選択した場合、「名称」である「タビ寿司」を上に、「説明」である「地元の人でにぎわう人気店」を真ん中に、「写真」である「photo1.gif」に含まれる画像を下に貼り付けるテンプレートである。
【０１５０】
図１９は、本発明に係る文書作成装置が提供する文書を印刷した冊子の第３の例を示す図である。印刷された小冊子は、４ページから成り、図１９（ａ）および（ｂ）に示される１〜２ページ目はガイド情報、図１９（ｃ）に示される３ページ目はアクセス情報、図１９（ｄ）に示される４ページ目はクーポン情報を含む。図１９は、図１１および図１６と異なり、ガイド情報を含む。
【０１５１】
図１９（ａ）および（ｂ）に示される１〜２ページ目のガイド情報は、テンプレート記憶部３８が記憶している「ガイド」テンプレート３８ｂに従って、「名称」、「説明」および「写真」の各情報種別に属する情報から構成されている。各情報の内容は、コンテンツデータ２８ａに含まれる情報である。本図は、コンテンツデータ２８ａが、図３に示す内容である場合の例である。さらに、テンプレートに貼り付けられた情報は、「タビ寿司」に関する各情報、「北海タワー」に関する各情報、「タビ旅館」に関する各情報の順に下に並べて位置づけられる。
【０１５２】
また、ページは、所定のページサイズに従って改められる。本図の「北海タワー」に関する情報が、その例である。「北海タワー」に関する情報の途中で所定のページサイズとなったため、ページが改められている。
【０１５３】
図１９（ｃ）に示される３ページ目のアクセス情報は、図１６の例と同様である。図３の例において情報種別が「アクセス」に属する情報から作られている。「アクセス１」、「アクセス２」、「アクセス３」は、テンプレート記憶部３８が記憶している「アクセス」テンプレート３８ａに従って貼り付けられている。さらに、テンプレートに貼り付けられた各アクセス情報は、「タビ寿司」に関するアクセス情報、「北海タワー」に関するアクセス情報、「タビ旅館」に関するアクセス情報の順に下に並べて貼り付けられている。
【０１５４】
図１９（ｄ）に示される４ページ目のクーポン情報は、図３の例において情報種別が「クーポン」に属する情報から作られている。各情報は、「タビ寿司」のクーポン、「北海タワー」のクーポン、「タビ旅館」のクーポンの順に下に並べて貼り付けられている。
【０１５５】
図１９に示す内容を含む電子ファイルを作成する際に、作成部３５が実行する具体的な処理について説明する。コンテンツ記憶部２８が記憶しているコンテンツデータ２８ａおよび利用者により選択された文書は、第１および第２の実施の形態と同じである。すなわち、コンテンツ記憶部２８が記憶しているコンテンツデータ２８ａは、図３に示す内容であり、利用者により選択された文書は、「タビ寿司」、「北海タワー」、「タビ旅館」である。
【０１５６】
作成部３５が、図１９に示す印刷例の３ページ目のアクセス部分および４ページ目のクーポン部分を作成する際に実行する処理は、図１６に示す印刷例のアクセス部分およびクーポン部分の作成処理と同じである。作成部３５は、図５に示す作成処理に従って処理を実行する。そのため、ここでの詳細な説明は、省略する。
【０１５７】
図１９に示す印刷例は、１〜２ページ目にガイド部分を含む。この部分を作成するための処理であるガイド部分作成処理において作成部３５が実行する処理について、説明する。
【０１５８】
作成部３５は、まず、文書種別に対するテンプレートがテンプレート記憶部３８に記憶されているか否かを判断する。文書種別に対するテンプレートがテンプレート記憶部３８に記憶されていないと判断した場合、作成部３５は、図５のループＣ（Ｓ５１）以下の処理を実行する。
【０１５９】
文書種別に対するテンプレートがテンプレート記憶部３８に記憶されていると判断した場合、作成部３５は、利用者が選択した文書毎に、文書種別に対するテンプレートへの情報の貼り付けおよび貼り付けたテンプレートの位置付け処理を実行する。作成部３５は、利用者が選択した全ての文書について、上記のテンプレートへの情報の貼り付けおよびテンプレートの位置付けの処理が終了すると、改ページ処理を実行した後に、図５のループＣ（Ｓ５１）以下の処理を実行する。
【０１６０】
図１９に示す印刷例の１〜２ページ目を作成する具体的な処理は、以下の通りである。
作成部３５は、文書種別に対するテンプレートである「ガイド」テンプレート３８ｂが、テンプレート記憶部３８に記憶されているため、作成部３５は、文書種別に対するテンプレートがテンプレート記憶部３８に記憶されていると判断する。
【０１６１】
作成部３５は、利用者が選択した文書である「タビ寿司」、「北海タワー」および「タビ旅館」のそれぞれについて、順に各文書に含まれる情報をテンプレートへ貼り付け、貼り付けたテンプレートを下に並べて位置づける処理を実行する。
【０１６２】
例えば、「タビ寿司」について、作成部３５は、「ガイド」テンプレート３８ｂに従って、「名称」である「タビ寿司」を上に、「説明」である「地元の人でにぎわう人気店」を真ん中に、「写真」である「photo1.gif」に含まれる画像を下に貼り付ける。貼り付けたテンプレートは、１ページ目の上部に位置づけられる。
【０１６３】
作成部３５は、「北海タワー」についても同様の処理によりテンプレートに情報を貼り付ける。「北海タワー」の情報を貼り付けたテンプレートは、「タビ寿司」の情報を貼り付けたテンプレートの下に、位置づけられる。ここで、「北海タワー」に関する情報のテンプレートを下に並べると、所定のページサイズを超えてしまうため、作成部３５は、所定のページサイズに合わせて、「北海タワー」に関する情報を１ページ目および２ページ目に分割する。
【０１６４】
作成部３５は、「タビ旅館」についても同様の処理によりテンプレートに情報を貼り付ける。「タビ旅館」の情報を貼り付けたテンプレートは、「北海タワー」の情報を貼り付けたテンプレートの下に、位置づけられる。こうして利用者が選択した全ての文書について、テンプレートへの情報の貼り付けおよびテンプレートの位置付けの処理が終了する。
【０１６５】
作成部３５は、改ページ処理を実行する。作成部３５は、続けて、図５のループＣ（Ｓ５１）以下の処理を実行することにより、３ページ目の「アクセス」情報および４ページ目の「クーポン」情報について文書の作成を行う。
【０１６６】
このように文書種別に対するテンプレート３８ｂを使用してレイアウトすることにより、本発明に係る文書作成装置は、多様なレイアウトのガイドブックを利用者に提供することが可能となり、利用者にとって利用し易いガイドブックを提供することが可能となる。
【０１６７】
第２のレイアウトの変形例として、テンプレート記憶部３８が記憶しているテンプレートデータは、情報種別に対するテンプレートのみでなく、文書種別に対する複数のテンプレートを含んでも構わない。
【０１６８】
文書種別に対する複数のテンプレートを用意することで、本発明に係る文書作成装置により作成される文書のレイアウトの多様性は増す。特に、コンテンツデータ２８ｂが文書種別に特有の情報を含む場合、文書種別に対する複数のテンプレートを用意することは、有用である。文書種別に特有の情報を含む場合について、図２０から図２３までを参照して説明する。
【０１６９】
図２０は、コンテンツ記憶部２８に記憶されているコンテンツデータ２８ｂの第２の例を示す図である。図３に示すコンテンツデータ２８ａの第１の例との違いは、文書種別に特有の情報が含まれていることである。
【０１７０】
文書種別に特有の情報とは、図２０に示すコンテンツデータ２８ｂの３列目の「メニュー」および４列目の「施設・設備」である。本図の「―」は、情報がないことを示す。
【０１７１】
「メニュー」に属する情報は、「食べ処」や「飲み処」にのみ含まれており、「体験・観光」や「宿泊」には含まれない。「メニュー」は、「食べ処」および「飲み処」に特有の情報である。
【０１７２】
「施設・設備」に属する情報は、「体験・観光」や「宿泊」にのみ含まれており、「食べ処」や「飲み処」には含まれない。「施設・設備」は、「体験・観光」および「宿泊」に特有の情報である。
【０１７３】
図２１は、テンプレート記憶部４０に記憶されているテンプレートデータ４０ａ、４０ｂ、４０ｃの第３の例を示す図である。本図に示すテンプレート記憶部４０は、情報種別に対するテンプレートとして「アクセス」テンプレート４０ａを、文書種別に対するテンプレートとして「飲食」テンプレート４０ｃおよび「体験・観光、宿泊」テンプレート４０ｂを記憶している。
【０１７４】
図２２は、テンプレート記憶部４０に記憶されているテンプレートデータ４０ａ、４０ｂ、４０ｃの第３の具体例４０ａ、４０ｂ、４０ｃを示す図である。図２２（ａ）に示される「アクセス」テンプレート４０ａは、図１３および図１８に示す「アクセス」テンプレート３６ａ、３８ａと同じである。そのため、「アクセス」テンプレート４０ａの説明は、省略する。
【０１７５】
図２２（ｃ）に示される「飲食」テンプレート４０ｃおよび図２２（ｂ）に示される「体験・観光、宿泊」テンプレート４０ｂは、文書種別に対して適用されるテンプレートである。「飲食」テンプレート４０ｃは、「文書種別」が「食べ処」か「飲み処」である文書のレイアウトに使用される。「体験・観光、宿泊」テンプレート４０ｂは、「文書種別」が「体験・観光」か「宿泊」である文書のレイアウトに使用される。
【０１７６】
例えば、「タビ寿司」、「北海タワー」および「タビ旅館」を利用者が選択すると、「飲食」テンプレート４０ｃは、「タビ寿司」の行に含まれる情報に対して適用され、「体験・観光、宿泊」テンプレート４０ｂは、「北海タワー」および「タビ旅館」の行に含まれる情報に対して適用される。
【０１７７】
図２２（ｃ）に示される「飲食」テンプレート４０ｃは、例えば、「タビ寿司」に適用する場合、「名称」である「タビ寿司」を上に、「説明」である「地元の人でにぎわう人気店」を真ん中に、「写真」である「photo1.gif」に含まれる画像を左下に、「メニュー」である「ホタテづくし２，８００円  刺身定食１，６８０円」を右下に貼り付けるテンプレートである。
【０１７８】
図２２（ｂ）に示される「体験・観光、宿泊」テンプレート４０ｂは、例えば、「北海タワー」に適用する場合、「名称」である「北海タワー」を左上に、「説明」である「流氷原を眺めることができる。」を左の真ん中に、「施設・設備」である「クリオネを観察できる海底階。」を左下に、「写真」である「photo3.gif」に含まれる画像を右に貼り付けるテンプレートである。
【０１７９】
図２３は、本発明に係る文書作成装置１０、１１が提供する文書を印刷した冊子の第４の例を示す図である。印刷された小冊子は、４ページから成り、図２３（ａ）および（ｂ）に示される１〜２ページ目はガイド情報、図２３（ｃ）に示される３ページ目はアクセス情報、図２３（ｄ）に示される４ページ目はクーポン情報を含む。
【０１８０】
図２３（ａ）および（ｂ）に示される１〜２ページ目のガイド情報は、テンプレート記憶部３８が記憶している「飲食」テンプレート４０ｃおよび「体験・観光、宿泊」テンプレート４０ｂに従って、「名称」、「説明」、「写真」、「メニュー」および「施設・設備」の各情報種別に属する情報から構成されている。各情報の内容は、コンテンツ記憶部２８記憶しているコンテンツデータ２８ｂに含まれる情報である。本図は、コンテンツデータ２８ｂが、図２０に示す内容である場合の例である。さらに、テンプレートに貼り付けられた情報は、「タビ寿司」に関する各情報、「北海タワー」に関する各情報、「タビ旅館」に関する各情報の順に下に並べて位置づけられる。
【０１８１】
また、ページは、所定のページサイズに従って改められる。本図の「北海タワー」に関する情報が、その例である。「北海タワー」に関する情報の途中で所定のページサイズとなったため、ページが改められている。
【０１８２】
図２３（ｃ）に示される３ページ目のアクセス情報は、図１６および図１９の例と同様である。図２０の例において情報種別が「アクセス」に属する情報から作られている。「アクセス１」、「アクセス２」、「アクセス３」は、テンプレート記憶部３８が記憶している「アクセス」テンプレート４０ａに従って貼り付けられている。さらに、テンプレートに貼り付けられた各アクセス情報は、「タビ寿司」に関するアクセス情報、「北海タワー」に関するアクセス情報、「タビ旅館」に関するアクセス情報の順に下に並べて位置付けられている。
【０１８３】
図２３（ｄ）に示される４ページ目のクーポン情報は、図３の例において情報種別が「クーポン」に属する情報から作られている。各情報は、「タビ寿司」のクーポン、「北海タワー」のクーポン、「タビ旅館」のクーポンの順に下に並べて貼り付けられている。
【０１８４】
さらに、レイアウトの変形例として、本発明に係る文書作成装置１０、１１は、予め用意したテンプレートから利用者が新たな文書のレイアウトに使用したいテンプレートを選択できるようにしても構わない。さらに、テンプレート作成用のツールを提供する等により、利用者がテンプレートを作成できるようにしても構わない。さらに、クーポンを冊子の先頭にまとめるなど、情報群の位置関係を利用者が設定できるようにしても構わない。
【０１８５】
これにより、文書作成装置１０、１１により作成される電子ファイルに含まれる文書のレイアウトの柔軟性が増す。そのため、利用者がより使い易い冊子を作成することが可能となる。
【０１８６】
なお、各情報を新たな文書に貼り付けるときの大きさは、元の文書のままでも構わず、また大きさを同一に揃えても構わない。すなわち、同じ情報種別に属する各情報の大きさが元の文書または元の文書が参照するオリジナルのファイルにおいて異なる場合、新たな文書でも元の文書と同様に、各情報の大きさが異なる記載である文書を作成して構わない。また、同様に各情報の大きさが異なる場合、新たな文書では、各情報を拡大または縮小することにより、各情報の大きさが同一になる記載である文書を作成しても構わない。
【０１８７】
さらに例えば、新たな文書を作成する際に、その文書の提供を受けた利用者が印刷する用紙サイズについて利用者が選択できるようにしても構わない。このとき、本発明に係る文書作成装置１０、１１は、各情報の大きさを拡大・縮小して印刷に適したレイアウトとする。また、本発明に係る文書作成装置１０、１１は、各ページに含まれる情報の数を増減して印刷に適したレイアウトとする。
【０１８８】
なお、用紙サイズの指定とともに、利用者が、各情報の大きさや１ページに含まれる情報の数を指定できるようにしても構わない。
【０１８９】
利用者が選択する用紙サイズが小さい場合、各情報の大きさを縮小すると、作成される文書の分量は減少する。しかし、各情報を縮小し過ぎると文字や画像の内容が判別できなくなる等の問題が生じる。そこで、利用者が小さい用紙を選択したために文字や画像が判別できなくなることを防ぐために、本発明に係る文書作成装置１０、１１は、１ページに記載する情報の数をも調整する必要がある。
【０１９０】
これに対して、利用者が選択する用紙サイズが大きい場合、各情報の大きさを拡大すると、文書は見易くなる。しかし、大きな用紙サイズを指定した利用者は、各情報の大きさは変えず、１ページに含まれる情報量の増加を期待している場合もある。
【０１９１】
このように、利用者による文書の用紙サイズの指定を可能とすることで、利用者にとってより便利な文書を提供することが可能となる。さらに、用紙サイズの指定とともに、各情報のサイズまたは１ページに含まれる情報の数を調整することにより、本発明に係る文書作成装置１０、１１が提供する文書のレイアウトの柔軟性が増し、利用者にとってより便利な文書を提供することが可能となる。
【０１９２】
さらに例えば、選択された画面を記憶する部位について、変形例が考えられる。実施の形態では選択受付部３２が記憶することとした。
【０１９３】
利用者が選択した画面の情報は、端末が記憶することにより、利用者の選択情報を本発明に係る文書作成装置１０が一括して受信しても構わない。
【０１９４】
また、選択する画面を一つにまとめても構わない。
図２４は、本発明に係る文書作成装置１０、１１から提供される選択画面の例を示す図である。本図は、利用者が選択対象である文書の一覧から選択する場合に、端末１２（１６）のブラウザ上で表示される選択画面の例を示す図である。選択画面は、例えば、選択対象となる文書のタイトルの一覧と、そのタイトルの左に各文書を選択するか否かを入力するチェック欄１１１、１１２、１１３、１１４と、送信ボタン１１５とで構成される。
【０１９５】
利用者は、ある文書を選択する場合、その左のチェック欄１１１、１１２、１１３、１１４にチェックを入れる。本図では、「タビ寿司」、「北海タワー」および「タビ旅館」にチェックがされており、利用者はこれらの３つの文書を選択している。利用者は、選択したい全ての文書についてチェックをすると、送信ボタン１１５を押す。
【０１９６】
送信ボタン１１５が押されると、端末１２（１６）は、選択された文書のタイトルを文書作成装置１０、１１に送信する。
【０１９７】
図２４のように、利用者が選択した画面の情報を一括して文書作成装置１０、１１が受け付ける場合、利用者の選択した画面の情報は、選択受付部３２がコンテンツ記憶部２８から選択に係るコンテンツデータ２８ａを抽出するまで、選択受付部３２により記憶される。さらに、選択の受け付けと課金の確認とを同時にすれば、利用者が選択した画面に関する情報は、選択受付部３２がコンテンツ記憶部２８から情報を抽出する際に保持されていれば足りる。
【０１９８】
さらに例えば、課金を利用者に確認するタイミングについて、変形例が考えられる。課金を利用者に確認するタイミングは、利用者が選択した情報から作成した文書を送信する前であれば、作成部３４、３５の作成処理が終了した後であっても構わない。
【０１９９】
さらに例えば、課金方式について、変形例が考えられる。第１の実施の形態と異なり、課金方式は、従量制であっても構わない。
【０２００】
図２５は、本発明に係る文書作成装置１０、１１が有料で文書を提供する場合に、端末の画面上で表示される課金確認のための画面の第２の例を示す図である。
【０２０１】
本図は、文書の選択数に料金が比例する場合の表示画面例である。端末１２（１６）の画面には、選択文書の内容、料金の合計金額、１件の文書の選択に掛かる料金および決済方法が記載されている。課金確認に対して承諾する場合は「はい」ボタン１２１を押下し、承諾しない場合は「いいえ」１２２ボタンを押下する。端末１２（１６）は、「はい」ボタン１２１が押下されると承諾情報を文書作成装置１０、１１に送信し、「いいえ」ボタン１２２が押下されると拒否情報を文書作成装置１０、１１に送信する。
【０２０２】
なお、従量制の課金方式は、文書の選択数に応じて段階的に増加するなど、他の方式でも構わない。このような方式は、文書の選択数の増加に応じて、本発明に係る文書作成装置１０、１１の負担も著しく増加する場合に有効である。
【０２０３】
さらに例えば、作成部１０、１１が実行する処理のうち、選択文書についてループ処理を実行する際の選択文書の処理順序について、変形例が考えられる。
【０２０４】
第１および第２の実施の形態において処理順序は、利用者が選択した順序で行うこととした。これと異なり、選択文書の処理順序は、利用者の指定に従うこととしても構わない。この場合、本発明に係る文書作成装置１０、１１は、当該処理順序に関する利用者の指定を受け付ける機能を備える。
【産業上の利用可能性】
【０２０５】
本発明は、文書作成装置に適用でき、特にインターネット等により公開される文書について、利用者が選択する文書に含まれる情報群を自動的に情報種別に応じて新たな文書を作成する文書作成装置等に適用できる。
【図面の簡単な説明】
【０２０６】
【図１】本発明に係る文書作成装置を使用した文書提供システムのハードウェア構成を示す図である。
【図２】本発明の第１の実施の形態に係る文書作成装置の機能的構成を示すブロック図である。
【図３】コンテンツ記憶部に記憶されているコンテンツデータの第１の例を示す図である。
【図４】本発明の第１の実施の形態に係る文書作成装置が実行する処理のフローチャートである。
【図５】図４に示した作成処理Ｓ１０における処理の詳細を示すフローチャートである。
【図６】本発明に係る文書作成装置から提供されるＨＴＭＬファイルを受信した端末のブラウザ上での第１の表示例を示す図である。
【図７】本発明に係る文書作成装置から提供されるＨＴＭＬファイルを受信した端末のブラウザ上での第２の表示例を示す図である。
【図８】本発明に係る文書作成装置から提供されるＨＴＭＬファイルを受信した端末のブラウザ上での第３の表示例を示す図である。
【図９】本発明に係る文書作成装置から提供されるＨＴＭＬファイルを受信した端末のブラウザ上での第４の表示例を示す図である。
【図１０】本発明に係る文書作成装置が有料で文書ファイルを提供する場合に、端末の画面上で表示される課金確認のための画面の第１の例を示す図である。
【図１１】本発明に係る文書作成装置が提供する文書を印刷した冊子の第１の例を示す図である。
【図１２】本発明の第２の実施の形態に係る文書作成装置の機能的構成を示すブロック図である。
【図１３】テンプレート記憶部に記憶されているテンプレートデータの第１の例の詳細を示す図である。
【図１４】本発明の第２の実施の形態に係る文書作成装置が実行する処理のフローチャートである。
【図１５】図１４に示した作成処理Ｓ４１における処理の詳細を示すフローチャートである。
【図１６】本発明に係る文書作成装置が提供する文書を印刷した冊子の第２の例を示す図である。
【図１７】テンプレート記憶部に記憶されているテンプレートデータの第２の例を示す図である。
【図１８】テンプレート記憶部に記憶されているテンプレートデータの第２の例の詳細を示す図である。
【図１９】本発明に係る文書作成装置が提供する文書を印刷した冊子の第３の例を示す図である。
【図２０】コンテンツ記憶部に記憶されているコンテンツデータの第２の例を示す図である。
【図２１】テンプレート記憶部に記憶されているテンプレートデータの第３の例を示す図である。
【図２２】テンプレート記憶部に記憶されているテンプレートデータの第３の具体例を示す図である。
【図２３】本発明に係る文書作成装置が提供する文書を印刷した冊子の第４の例を示す図である。
【図２４】本発明に係る文書作成装置から提供される選択画面の例を示す図である。
【図２５】本発明に係る文書作成装置が有料で文書を提供する場合に、端末の画面上で表示される課金確認のための画面の第２の例を示す図である。
【符号の説明】
【０２０７】
５  インターネット
１０、１１  文書作成装置
１２、１６  端末
１４、１８  プリンタ
２２  Ｉ／Ｆ部
２４  要求判断部
２６  課金要求部
２８  課金確認受付部
３０  コンテンツ記憶部
３２  選択受付部
３４、３５  作成部
３６、３８、４０  テンプレート記憶部
【図１】
2007133777.tif 000003
【図２】
2007133777.tif 000004
【図３】
2007133777.tif 000005
【図４】
2007133777.tif 000006
【図５】
2007133777.tif 000007
【図６】
2007133777.tif 000008
【図７】
2007133777.tif 000009
【図８】
2007133777.tif 000010
【図９】
2007133777.tif 000011
【図１０】
2007133777.tif 000012
【図１１】
2007133777.tif 000013
【図１２】
2007133777.tif 000014
【図１３】
2007133777.tif 000015
【図１４】
2007133777.tif 000016
【図１５】
2007133777.tif 000017
【図１６】
2007133777.tif 000018
【図１７】
2007133777.tif 000019
【図１８】
2007133777.tif 000020
【図１９】
2007133777.tif 000021
【図２０】
2007133777.tif 000022
【図２１】
2007133777.tif 000023
【図２２】
2007133777.tif 000024
【図２３】
2007133777.tif 000025
【図２４】
2007133777.tif 000026
【図２５】
2007133777.tif 000027